(57)【要約】【課題】  比較的小型の冷却装置や送風ファンを用いて騒音、振動の問題が無く、しかも出柩に際して柩の蓋を取り外す必要のない冷却柩装置を開発する。【解決手段】  箱状をなし、その上面が柩載置面となっており、内部に冷凍機を有し、該冷凍機のエバポレータ及び送風ファンからなる冷却ユニットが前記柩載置面から突出し又は引っ込むように昇降可能となっている載置台の上に、底面に前記冷却ユニットが挿入可能な開口部を有し、該開口部には開閉自在の蓋を設けた柩本体を載せる。冷却ユニットで直接柩内を冷却するので、冷却効率が良く、送風負荷が少なく、小型の冷凍機及び送風ファンを使用でき、騒音や振動の問題がなく、省エネルギーである。冷却ユニットは昇降式であるので、出柩に際して柩の蓋を取り外す必要がない。【選択図】      図１
2006034484.tif 000002
【特許請求の範囲】
【請求項１】
箱状をなし、その上面が柩載置面となっており、内部に冷凍機を有し、該冷凍機のエバポレータ及び送風ファンからなる冷却ユニットが前記柩載置面から突出し又は引っ込むように昇降可能となっている載置台と、
前記載置台の柩載置面に載せられる柩本体であって、底面に前記冷却ユニットが挿入可能な開口部を有し、該開口部には開閉自在の蓋が設けられている柩本体とからなることを特徴とする冷却柩装置。
【請求項２】
請求項１の冷却柩装置において、前記エバポレータが、縦方向の冷却フィンを有し、前記冷却ユニットが前記冷却フィンの下方に樋を有し、前記載置台の内部に水タンクが収納され、該水タンクと前記樋が通水管で連結されており、前記エバポレータに結露し前記樋に落下した水が前記通水管を通って前記水タンクに集められることを特徴とする冷却柩装置。
【請求項３】
請求項１又は２の冷却柩装置において、前記柩本体の底面が突条と溝が交互に配されたスノコ状となっており、前記突条にはその両側の溝が連通する貫通孔が形成されていることを特徴とする冷却柩装置。
【発明の詳細な説明】
【技術分野】
【０００１】
本発明は、遺体を収納する柩本体内を冷却する機能を備えた冷却柩装置に関する。
【背景技術】
【０００２】
柩内に安置された遺体を保存する方法として最も一般的なのは、柩内にドライアイスを配置し、ドライアイスから生じる冷気で遺体を冷却し、ドライアイスを定期的に補充して遺体の腐敗が進行するのを防止するものである。
【０００３】
しかし上記のドライアイスを用いる方法は、ドライアイスを配置した近辺は冷却されるが、配置されていない部分は冷却されないで腐敗が進む、柩内に結露水が発生する、定期的にドライアイスを補給するので、その度に柩の蓋を取り、煩雑であるばかりか遺族の感情を害する、という問題がある。
【０００４】
また、下記特許文献１には冷凍機が付設された柩が提案されているが、これは冷凍機で発生させた冷気を柩内に供給するもので、柩内に冷気を供給するダクト類を使用するため熱効率が悪く、送風の負荷も大きいので、比較的大型の冷凍機、送風ファンが必要で、不経済であるばかりか、冷凍機や送風ファンの騒音、振動の問題があり、厳粛なる場所には不適切であった。
【特許文献１】特開平９−９４２７５号公報
【０００５】
また、下記特許文献２には、柩の蓋にエバポレータを設け、これに柩外から冷媒ガスを送り込む方式が提案されている。この方式は、柩内をエバポレータで直接冷却するので冷却効率はよいが、冷媒ガスのホースを柩から取り外す際にカプラを外すことによって冷媒ガスが周囲に漏れ、環境に良くないばかりか、結露水が柩内に溜まるという問題があり、さらに、出柩の際に柩の蓋を交換しなければならず、柩内の冷気が無駄になり、遺体を露見させることで遺族の感情を害するおそれもある。
【特許文献２】実開昭６２−２１３３０号公報
【０００６】
また、下記特許文献３には、エバポレータ及びファンからなる冷却ユニットを柩内に着脱自在に取り付ける方式が開示されている。この方式も、柩内をエバポレータで直接冷却するので冷却効率が良く、ファンも小型なものでよいので騒音、振動の問題はないが、結露水が柩内に溜まるという問題があり、さらに、出柩の際に柩の蓋を開け、冷却ユニットを取り出さなければならないので、柩内の冷気が無駄になり、作業が煩雑なばかりか遺族の感情を害するおそれもある。
【特許文献３】特開２００２−３３６３１２号公報
【発明の開示】
【発明が解決しようとする課題】
【０００７】
本発明は、比較的小型の冷却装置や送風ファンを用いて騒音、振動の問題が無く、しかも出柩に際して柩の蓋を取り外す必要のない冷却柩装置を開発することを目的としてなされたものである。
【課題を解決するための手段】
【０００８】
〔構成１〕
本発明は、箱状をなし、その上面が柩載置面となっており、内部に冷凍機を有し、該冷凍機のエバポレータ及び送風ファンからなる冷却ユニットが前記柩載置面から突出し又は引っ込むように昇降可能となっている載置台と、前記載置台の柩載置面に載せられる柩本体であって、底面に前記冷却ユニットが挿入可能な開口部を有し、該開口部には開閉自在の蓋が設けられている柩本体とからなることを特徴とする冷却柩装置である。
【０００９】
〔構成２〕
また本発明は、前記構成１の冷却柩装置において、前記エバポレータが、縦方向の冷却フィンを有し、前記冷却ユニットが前記冷却フィンの下方に樋を有し、前記載置台の内部に水タンクが収納され、該水タンクと前記樋が通水管で連結されており、前記エバポレータに結露し前記樋に落下した水が前記通水管を通って前記水タンクに集められることを特徴とする冷却柩装置である。
【００１０】
〔構成３〕
また本発明は、前記構成１又は２の冷却柩装置において、前記柩本体の底面が突条と溝が交互に配されたスノコ状となっており、前記突条にはその両側の溝が連通する貫通孔が形成されていることを特徴とする冷却柩装置である。
【発明の効果】
【００１１】
本発明の冷却柩装置は、エバポレータ及び送風ファンからなる冷却ユニットで直接柩内を冷却するので、冷却効率が良く、送風負荷が少なく、小型の冷凍機及び送風ファンを使用でき、騒音や振動の問題がなく、省エネルギーである。また、冷却ユニットは昇降式であるので、出柩に際しては、冷却ユニットを下降させ、柩内から脱出させて載置台内に戻すことで、柩の蓋を取り外す必要がなく、柩内の冷気が無駄にならず、遺族の感情を害するおそれもない。
【発明を実施するための最良の形態】
【００１２】
エバポレータには、通常、冷却効率を向上するために冷媒パイプに接して冷却フィンが設けられるが、この冷却フィンを縦方向に設け、更にその下部に樋を設け、エバポレータに結露し樋に落下した水が通水管を通って載置台内に設けた水タンクに集まるようにすることができる。このようにすることで、柩内に結露水が溜まるのを防止できる。
【００１３】
また、柩本体の底面を、突条と溝が交互に配されたスノコ状とし、突条には、その両側の溝が連通する貫通孔を形成すると、冷気が遺体の下側まで行き渡り、遺体の腐敗を最小限に抑えることができる。
【実施例】
【００１４】
以下、実施例を表した図面に基づいて本発明を詳細に説明する。図１は実施例の冷却柩装置１の断面図、図２は開蓋状態の柩本体２の平面図、図３は柩本体２の一部切欠斜視図、図４は蓋１４の断面説明図、図５は冷却ユニット４の平面図、図６は冷却ユニット４の縦断面図、図７は昇降装置の説明図である。
【００１５】
実施例の冷却柩装置１は柩本体２と、これを載置する載置台３とからなる。柩本体２は木製の箱状をなし、上面が蓋２ａとなっている。底面２ｂの遺体の足の先の部分には開口部１６及び開閉自在の蓋１４が設けられている。蓋１４は木製で、スプリングを内蔵した蝶番１５によって底面２ｂに蝶着され、蝶番のスプリングの作用で常に閉まる方向に付勢されている。また、蓋の先端付近にはロック装置１７が設けられている。これは木製の棒状をなし、両端が柩側面に軸着され、一端に柩外から回転可能な摘み１９が設けられている。図４等に示すように、棒状のロック装置１７の中央部分は蒲鉾状の切欠１８となっており、図４上段に示すように、切欠１８が蓋側に向いているときは蓋１４が開閉可能であり、それ以外のときは、図４下段に示すように、蓋が開かないようになっている。
【００１６】
柩本体２の底面２ｂは、遺体が載る部分が、複数の突条２０と溝２１が交互に配されたスノコ状となっている。また、突条２０にはその両側の溝２１、２１が連通するような貫通孔２２が多数形成されている。
【００１７】
載置台３は箱状に形成され、上面が柩を載置する柩載置面３ａとなっており、柩載置面には冷却ユニットが出入りするための開口３ｂが設けられている。また、キャスター３０により容易に移動できるようになっている。載置台３の内部には周知機構の冷凍機が設けられている。冷凍機は冷却ユニットとコンデンシングユニットからなり、冷却ユニットは冷却ユニット台部２３及びこれに取り付けられたエバポレータ５とその上部の送風ファン８を有し、コンデンシングユニットは、低圧側コンプレッサ９、高圧側コンプレッサ１０、冷却ファン１１などを有する。
【００１８】
低圧側コンプレッサ９、高圧側コンプレッサ１０、エバポレータ５は冷媒パイプ６で連結され、内部を冷媒が循環する。冷媒ガスは低圧側コンプレッサ９で濃縮され、更に高圧側コンプレッサ１０で濃縮されて高温の液体となった後、冷却ファン１１で冷却され、エバポレータ５に至って気化されて気化熱を奪い、再び低圧側コンプレッサ９に戻り、これを繰り返す。冷凍機の制御は制御装置（図示せず）によって行われ、制御盤（図示せず）が載置台３の側面に設置されている。制御盤は冷凍機のＯＮ、ＯＦＦ、冷却温度、送風量の設定や冷却ユニットの昇降の操作などを行うものである。
【００１９】
冷却ユニット４は、冷却ユニット台部２３の上に取り付けたエバポレータ５とその上部に取り付けた送風ファン８からなる。エバポレータ５は螺旋状に旋回する冷媒パイプ６とその周囲に接続された多数の縦方向の冷却フィン７を有する。冷却フィン７の下部の冷却ユニット台部２３には環状の樋２９が設けられ、これには通水管１３が連結され、通水管の端部は載置台３に設けた水タンク１２に連結されている。これにより、エバポレータで結露した水は樋２９、通水管１３を経て水タンク１２内に導かれる。
【００２０】
図６に示すように、送風ファン８はプロペラ状のファンであるが、筒状ファンとすることもできる。送風ファン８を回転すると、エバポレータ５で冷やされた冷気は矢印Ｂのように柩内に送風され、柩内の空気は矢印Ａのようにエバポレータ内に吸い込まれ、冷却される。柩内に挿入したエバポレータで柩内の空気を直接冷却するので、冷却効率が良く、送風ファンも柩内の空気を循環させるのみでよいので、比較的小型の冷凍機と送風ファンを用いることができ、省エネルギーで騒音や振動の問題もない。
【００２１】
図７に示すのは昇降装置の一例である。符号２４はスクリューで、載置台の底面と上面の間に回転自在に軸着され、モータ２６によって回転する。符号２７はガイド棒で、載置台の底面と上面の間に固定されている。符号２５はナット部で冷却ユニット台部２３の側面から突出形成され、スクリュー２４と螺合している。符号２８は滑り軸受で、冷却ユニット台部２３の側面から突出形成され、ガイド棒２７に摺動自在に係合している。モータ２６でスクリュー２４を所定の方向に回転すると、これに螺合しているナット部２５との協働により冷却ユニット４が上昇し、反対方向に回転すると下降する。昇降装置はこの例の他に任意の機構を採用できる。
【００２２】
ロック装置１７を「開」の位置とした後、制御盤を操作して冷却ユニット４を上昇させると、冷却ユニット４は柩載置面３ｂの上部に突出し、さらに蓋１４を押し上げて柩本体２内部に挿入される（図１）。この状態で制御盤を操作して冷凍機を作動させると、柩内が冷却される。出柩に際しては、制御盤を操作して冷凍機を停止すると共に冷却ユニット４を下降させると、冷却ユニット４は載置台３の中に引っ込み、蓋１４は（スプリングで閉じる方向に付勢されているので）自動的に閉まる。最後に摘み１９を回転してロック装置１７を「閉」の位置にする。このようにすることで、柩本体の蓋２ａを開けることなく、簡単な操作で冷却ユニットを柩内に挿入し、また脱出させることができる。したがって、柩内の冷気を無駄にすることが無く、遺族に違和感を与えることがない。
【００２３】
なお、エバプレータの外周に消臭剤、除菌剤入りのネットを巻けば、消臭効果、除菌効果を付与できる。また、遺族の意向により、柩内にドライアイスを入れることも考えられるが、本発明においては柩内の冷気を循環させる方式であるので、柩内の冷気が外部に漏れることが無く、ドライアイスの昇華ガスの問題もない。
【図面の簡単な説明】
【００２４】
【図１】実施例の冷却柩装置１の断面図である。
【図２】開蓋状態の柩本体２の平面図である。
【図３】柩本体２の一部切欠斜視図である。
【図４】蓋１４の断面説明図である。
【図５】冷却ユニット４の平面図である。
【図６】冷却ユニット４の縦断面図である。
【図７】は昇降装置の説明図である。
【符号の説明】
【００２５】
１  冷却柩装置
２  柩本体
３  載置台
４  冷却ユニット
５  エバポレータ
６  冷媒パイプ
７  冷却フィン
８  送風ファン
９  低圧側コンプレッサ
１０  高圧側コンプレッサ
１１  冷却ファン
１２  水タンク
１３  通水管
１４  蓋
１５  蝶番
１６  開口部
１７  ロック装置
１８  切欠
１９  摘み
２０  突条
２１  溝
２２  貫通孔
２３  冷却ユニット台部
２４  スクリュー
２５  ナット部
２６  モータ
２７  ガイド棒
２８  滑り軸受
２９  樋
３０  キャスタ
【図１】
2006034484.tif 000003
【図２】
2006034484.tif 000004
【図３】
2006034484.tif 000005
【図４】
2006034484.tif 000006
【図５】
2006034484.tif 000007
【図６】
2006034484.tif 000008
【図７】
2006034484.tif 000009